(57)【要約】【課題】画像の管理における利便性を高めることの可能な情報管理装置、情報管理システム、および、情報管理方法を提供する。【解決手段】情報管理装置１０は、被写体の識別情報が被写体と共に含まれる画像の提供に用いられ、画像に含まれる被写体の識別情報と画像の識別情報とが対応付けられた被写体情報データベース１２ｂと、被写体の識別情報と画像の提供に用いられる情報とが対応付けられた参加者情報データベース１２ａとを記憶する記憶部１２と、画像の識別情報と、画像の提供に用いられる情報とのいずれか一方が入力され、入力された情報に対応付けられる被写体の識別情報を特定する制御部１３とを備える。【選択図】図１
2014235629.tif 000002
【特許請求の範囲】
【請求項１】
被写体の識別情報が前記被写体と共に含まれる画像の提供に用いられ、
前記画像に含まれる前記被写体の識別情報と前記画像の識別情報とが対応付けられた第１データと、前記被写体の識別情報と前記画像の提供に用いられる情報とが対応付けられた第２データとを記憶する記憶部と、
前記画像の識別情報と、前記画像の提供に用いられる情報とのいずれか一方が入力され、前記入力された情報に対応付けられる前記被写体の識別情報を特定する特定部と、
を備える情報管理装置。
【請求項２】
前記特定部は、
前記画像の提供に用いられる情報が入力されたとき、
前記第２データに基づいて、入力された前記画像の提供に用いられる情報に対応付けられている前記被写体の識別情報を特定し、
前記第１データに基づいて、前記第２データに基づいて特定された前記被写体の識別情報に対応付けられている前記画像の識別情報を特定して出力する
請求項１に記載の情報管理装置。
【請求項３】
前記特定部は、
前記画像の識別情報が入力されたとき、
前記第１データに基づいて、入力された前記画像の識別情報に対応付けられている前記被写体の識別情報を特定し、
前記第２データに基づいて、前記第１データに基づいて特定された前記被写体の識別情報に対応付けられている前記画像の提供に用いられる情報を特定して出力する
請求項１または２に記載の情報管理装置。
【請求項４】
前記被写体の識別情報は、複数の色の配列によって表現される
請求項１〜３のいずれか一項に記載の情報管理装置。
【請求項５】
被写体の識別情報が前記被写体と共に含まれる画像の提供に用いられ、
画像を前記画像の識別情報に対応付けられたデータとして格納する格納部と、
前記格納部が格納する画像を解析して、前記画像に含まれる前記被写体の識別情報を取得する取得部と、
前記取得部が取得した前記被写体の識別情報と前記画像の識別情報とが対応付けられた第１データ、および、前記被写体の識別情報と前記画像の提供に用いられる情報とが対応付けられた第２データを記憶する記憶部と、
前記画像の識別情報と、前記画像の提供に用いられる情報とのいずれか一方が入力され、前記入力された情報に対応付けられる前記被写体の識別情報を特定する特定部と、
を備える情報管理システム。
【請求項６】
前記特定部は、
前記画像の提供に用いられる情報が入力されたとき、
前記第２データに基づいて、入力された前記画像の提供に用いられる情報に対応付けられている前記被写体の識別情報を特定し、
前記第１データに基づいて、前記第２データに基づいて特定された前記被写体の識別情報に対応付けられている前記画像の識別情報を特定し、
前記格納部から、前記第１データに基づいて特定された前記画像の識別情報に対応する画像を取得して出力する
請求項５に記載の情報管理システム。
【請求項７】
前記特定部は、
前記画像の識別情報が入力されたとき、
前記第１データに基づいて、入力された前記画像の識別情報に対応付けられている前記被写体の識別情報を特定し、
前記第２データに基づいて、前記第１データに基づいて特定された前記被写体の識別情報に対応付けられている前記画像の提供に用いられる情報を特定し、
前記格納部から、入力された前記画像の識別情報に対応する画像を取得し、
前記格納部から取得した画像と前記第２データに基づいて特定された前記画像の提供に用いられる情報とを出力する
請求項５または６に記載の情報管理システム。
【請求項８】
前記画像の提供に用いられる識別情報は、会員からの情報のアップロードを受付けるウェブサーバにおける会員の認証情報であって、
前記特定部は、前記格納部から取得した画像と前記第２データに基づいて特定された前記画像の提供に用いられる情報とを前記ウェブサーバに送信して、前記ウェブサーバに前記画像をアップロードする
請求項７に記載の情報管理システム。
【請求項９】
前記被写体の識別情報は、複数の色の配列によって表現される
請求項５〜８のいずれか一項に記載の情報管理システム。
【請求項１０】
被写体の識別情報が前記被写体と共に含まれる画像を提供する際に、
前記画像を前記画像の識別情報に対応付けられたデータとして格納部に格納するステップと、
前記格納部に格納された画像を解析して、前記画像に含まれる前記被写体の識別情報を取得するステップと、
前記画像の解析により取得された前記被写体の識別情報と前記画像の識別情報とを対応付けて記憶するステップと、
前記被写体の識別情報と前記画像の提供に用いられる情報とを対応付けて記憶するステップと、
前記画像の識別情報と、前記画像の提供に用いられる情報とのいずれか一方に対応付けられる前記被写体の識別情報を前記記憶されたデータを用いて特定するステップと
を含む情報管理方法。
【発明の詳細な説明】
【技術分野】
【０００１】
本開示の技術は、画像に含まれる情報を管理する情報管理装置、情報管理システム、および、情報管理方法に関する。
【背景技術】
【０００２】
多数の参加者が参加する催事では、撮影された多数の写真が、被写体に含まれる参加者ごとに分別されて参加者ごとに提供される。パターン認識技術が発達した近年では、パターン認識による被写体の認識結果に基づいて写真が分別される。例えば、特許文献１に記載の印刷装置は、写真に写っている人物ごとに写真データを分別し、分別された単位ごとに写真を印刷する。
【先行技術文献】
【特許文献】
【０００３】
【特許文献１】特開２００５−３０３７５４号公報
【発明の概要】
【発明が解決しようとする課題】
【０００４】
ところで、デジタル機器の普及が進むに連れて、写真に写された画像をデジタルデータとしてユーザに提供する必要性が高まっている。そして、写真に写された画像をデータとして管理するにあたり、画像のデータによって表現される被写体やデータの提供先に関する情報を管理することが求められる。
【０００５】
本開示の技術は、画像の管理における利便性を高めることの可能な情報管理装置、情報管理システム、および、情報管理方法を提供することを目的とする。
【課題を解決するための手段】
【０００６】
本開示における情報管理装置の一態様は、被写体の識別情報が前記被写体と共に含まれる画像の提供に用いられ、前記画像に含まれる前記被写体の識別情報と前記画像の識別情報とが対応付けられた第１データと、前記被写体の識別情報と前記画像の提供に用いられる情報とが対応付けられた第２データとを記憶する記憶部と、前記画像の識別情報と、前記画像の提供に用いられる情報とのいずれか一方が入力され、前記入力された情報に対応付けられる前記被写体の識別情報を特定する特定部と、を備える。
【０００７】
上記構成によれば、画像の識別情報と被写体の識別情報と画像の提供に用いられる情報とが対応付けられて管理されるため、画像の管理における利便性が高められる。
本開示における情報管理装置の他の態様では、前記特定部は、前記画像の提供に用いられる情報が入力されたとき、前記第２データに基づいて、入力された前記画像の提供に用いられる情報に対応付けられている前記被写体の識別情報を特定し、前記第１データに基づいて、前記第２データに基づいて特定された前記被写体の識別情報に対応付けられている前記画像の識別情報を特定して出力する。
【０００８】
上記構成によれば、画像の提供に用いられる情報から、画像が含む被写体を加味して、画像の識別情報が適切に導き出される。したがって、画像の管理における利便性がより高められる。
【０００９】
本開示における情報管理装置の他の態様では、前記特定部は、前記画像の識別情報が入力されたとき、前記第１データに基づいて、入力された前記画像の識別情報に対応付けられている前記被写体の識別情報を特定し、前記第２データに基づいて、前記第１データに基づいて特定された前記被写体の識別情報に対応付けられている前記画像の提供に用いられる情報を特定して出力する。
【００１０】
上記構成によれば、画像の識別情報から、画像が含む被写体を加味して、画像の提供に用いられる情報が適切に導き出される。したがって、画像の管理における利便性がより高められる。
【００１１】
本開示における情報管理装置の他の態様では、前記被写体の識別情報は、複数の色の配列によって表現される。
複数の色の配列によって情報を表現する識別子は、画像に小さく含まれた状態であっても認識されやすい。したがって、被写体の識別情報を複数の色の配列によって表現することによって、識別機能を有する装置や人が被写体の識別情報を認識するにあたっての認識の精度を高めることができる。
【００１２】
本開示における情報管理システムの一態様は、被写体の識別情報が前記被写体と共に含まれる画像の提供に用いられ、画像を前記画像の識別情報に対応付けられたデータとして格納する格納部と、前記格納部が格納する画像を解析して、前記画像に含まれる前記被写体の識別情報を取得する取得部と、前記取得部が取得した前記被写体の識別情報と前記画像の識別情報とが対応付けられた第１データ、および、前記被写体の識別情報と前記画像の提供に用いられる情報とが対応付けられた第２データを記憶する記憶部と、前記画像の識別情報と、前記画像の提供に用いられる情報とのいずれか一方が入力され、前記入力された情報に対応付けられる前記被写体の識別情報を特定する特定部と、を備える。
【００１３】
上記構成によれば、記憶部にて、画像の識別情報と被写体の識別情報と画像の提供に用いられる情報とが対応付けられて管理されるため、画像の管理における利便性が高められる。また、取得部にて、画像から被写体の識別情報が取得されるため、画像の撮影時に、被写体の識別情報の記録や読み取りといった撮影とは別の作業が発生することを抑えることができる。
【００１４】
本開示における情報管理システムの他の態様では、前記特定部は、前記画像の提供に用いられる情報が入力されたとき、前記第２データに基づいて、入力された前記画像の提供に用いられる情報に対応付けられている前記被写体の識別情報を特定し、前記第１データに基づいて、前記第２データに基づいて特定された前記被写体の識別情報に対応付けられている前記画像の識別情報を特定し、前記格納部から、前記第１データに基づいて特定された前記画像の識別情報に対応する画像を取得して出力する。
【００１５】
上記構成によれば、画像の提供に用いられる情報から、画像が含む被写体を加味して、画像の識別情報が適切に導き出される。そして、画像の識別情報に対応する画像が出力される。したがって、画像の管理における利便性がより高められる。
【００１６】
本開示における情報管理システムの他の態様では、前記特定部は、前記画像の識別情報が入力されたとき、前記第１データに基づいて、入力された前記画像の識別情報に対応付けられている前記被写体の識別情報を特定し、前記第２データに基づいて、前記第１データに基づいて特定された前記被写体の識別情報に対応付けられている前記画像の提供に用いられる情報を特定し、前記格納部から、入力された前記画像の識別情報に対応する画像を取得し、前記格納部から取得した画像と前記第２データに基づいて特定された前記画像の提供に用いられる情報とを出力する。
【００１７】
上記構成によれば、画像の識別情報から、画像が含む被写体を加味して、画像の提供に用いられる情報が適切に導き出される。そして、画像の識別情報に対応する画像と画像の提供に用いられる情報とが出力される。したがって、画像の管理における利便性がより高められる。
【００１８】
本開示における情報管理システムの他の態様では、前記画像の提供に用いられる識別情報は、会員からの情報のアップロードを受付けるウェブサーバにおける会員の認証情報である。前記特定部は、前記格納部から取得した画像と前記第２データに基づいて特定された前記画像の提供に用いられる情報とを前記ウェブサーバに送信して、前記ウェブサーバに前記画像をアップロードする。
【００１９】
上記構成によれば、画像の識別情報から導き出された会員の認証情報が用いられて、画像の識別情報に対応する画像がウェブサーバにアップロードされる。したがって、煩雑な作業を要することなく、画像がウェブサーバにアップロードされて外部に提供される。
【００２０】
本開示における情報管理システムの他の態様では、前記被写体の識別情報は、複数の色の配列によって表現される。
複数の色の配列によって情報を表現する識別子は、画像に小さく含まれた状態であっても認識されやすい。したがって、被写体の識別情報を、複数の色の配列によって表現することによって、取得部による被写体の識別情報の取得の精度を高めることができる。
【００２１】
本開示における情報管理方法の一態様は、被写体の識別情報が前記被写体と共に含まれる画像を提供する際に、前記画像を前記画像の識別情報に対応付けられたデータとして格納部に格納するステップと、前記格納部に格納された画像を解析して、前記画像に含まれる前記被写体の識別情報を取得するステップと、前記画像の解析により取得された前記被写体の識別情報と前記画像の識別情報とを対応付けて記憶するステップと、前記被写体の識別情報と前記画像の提供に用いられる情報とを対応付けて記憶するステップと、前記画像の識別情報と、前記画像の提供に用いられる情報とのいずれか一方に対応付けられる前記被写体の識別情報を前記記憶されたデータを用いて特定するステップとを含む。
【００２２】
上記構成によれば、画像の識別情報と被写体の識別情報と画像の提供に用いられる情報とが対応付けられて記憶されるため、画像の管理における利便性が高められる。
【発明の効果】
【００２３】
本開示の技術によれば、画像の管理における利便性を高めることができる。
【図面の簡単な説明】
【００２４】
【図１】本開示の技術における第１の実施形態での情報管理装置と、情報管理装置を含む情報管理システムとの構成を示すシステム構成図である。
【図２】第１の実施形態の情報管理システムにて撮影される画像の一例を示す図である。
【図３】第１の実施形態の情報管理装置にて、参加者情報データベースに登録されるデータのデータ構成を示す図である。
【図４】第１の実施形態の情報管理装置にて、被写体情報データベースに登録されるデータのデータ構成を示す図である。
【図５】第１の実施形態の情報管理システムにて、被写体情報データベースが構築される手順を示すシーケンス図である。
【図６】第１の実施形態の情報管理システムにて、情報管理装置が画像をウェブサイトサーバにアップロードする手順を示すシーケンス図である。
【図７】本開示の技術における第２の実施形態での情報管理装置と、情報管理装置を含む情報管理システムとの構成を示すシステム構成図である。
【図８】第２の実施形態の情報管理装置にて、照会情報データベースに登録されるデータのデータ構成を示す図である。
【図９】第２の実施形態の情報管理システムにて、情報管理装置が画像をユーザ端末に送信する手順を示すシーケンス図である。
【発明を実施するための形態】
【００２５】
（第１の実施形態）
図１〜図６を参照して、情報管理装置、情報管理システム、および、情報管理方法の第１の実施形態について説明する。なお、第１の実施形態の情報管理システムでは、催事にて撮影されたユーザの写真が、ＳＮＳ等の会員制のウェブサイトを通じて、ユーザに提供される。
【００２６】
図１を参照して、情報管理システムの構成、および、情報管理システムに含まれる情報管理装置の構成について説明する。
図１に示されるように、情報管理システムは、情報管理装置１０と画像処理装置２０と解析エンジン３０とを含む。情報管理装置１０と画像処理装置２０と解析エンジン３０とは、相互にデータを送信および受信する。
【００２７】
情報管理装置１０と画像処理装置２０と解析エンジン３０とは、インターネット等のネットワークＮＷを介して、撮影端末４０、ウェブサイトサーバ５０、および、ユーザ端末６０と接続されている。ネットワークＮＷに接続された装置は、相互にデータを送信および受信する。なお、情報管理装置１０と画像処理装置２０と解析エンジン３０との間のデータの送受信に用いられるネットワークは、ネットワークＮＷと同一のネットワークであってもよく、ネットワークＮＷと異なるネットワークであってもよい。
【００２８】
撮影端末４０は、デジタルカメラ等の、画像の撮影機能とネットワークＮＷへの接続機能を有する端末である。撮影端末４０は、撮影した画像を画像処理装置２０に送信する。なお、撮影端末４０がネットワークＮＷへの接続機能を有さない場合には、撮影された画像は、パーソナルコンピュータ等を経由して撮影端末４０から画像処理装置２０へ送信されてもよい。
【００２９】
ウェブサイトサーバ５０は、ＳＮＳ等の会員制のウェブサイトである会員制サイトを提供するウェブサーバである。会員制サイトは、会員であるユーザごとのウェブページを備えている。ユーザごとのウェブページには、ユーザによってウェブサイトサーバ５０にアップロードされた文章や画像が掲載される。
【００３０】
会員制サイトの会員であるユーザは、ユーザごとに、認証キーを割り当てられている。認証キーは、会員がウェブサイトサーバ５０を使用する際の認証に用いられるログインＩＤやパスワード等の認証情報である。認証キーがウェブサイトサーバ５０に入力されると、ウェブサイトサーバ５０は、ユーザを会員として認証する。認証を受けたユーザは、各ユーザのウェブページの閲覧や文章や画像のアップロード等の、ウェブサイトサーバ５０が提供するサービスを受けることが可能となる。
【００３１】
ユーザ端末６０は、パーソナルコンピュータやスマートフォン等の端末である。ユーザ端末６０は、会員制サイトの閲覧や、ユーザが催事への参加に先立って行う事前登録に用いられる。
【００３２】
画像処理装置２０は、通信部２１と記憶部２２と制御部２３とを備えている。通信部２１は、画像処理装置２０と接続先の装置との接続処理を実行する。また、通信部２１は、接続先となる装置との間でデータの送信および受信を行う。
【００３３】
記憶部２２は、画像データベース２２ａを記憶している。画像データベース２２ａには、撮影端末４０によって撮影された画像が登録されている。画像データベース２２ａに登録された画像の各々には、画像の識別情報としてファイル名等のファイルＩＤが割り当てられている。
【００３４】
制御部２３は、データ登録部２３ａとデータ読み出し部２３ｂとを備えている。データ登録部２３ａは、撮影端末４０によって撮影された画像にファイルＩＤを割り当てて、画像を画像データベース２２ａに登録する。
【００３５】
データ読み出し部２３ｂは、解析エンジン３０による解析処理が必要な画像を画像データベース２２ａから抽出する。データ読み出し部２３ｂが抽出した画像は、ファイルＩＤとともに、画像処理装置２０から解析エンジン３０へ送られる。また、データ読み出し部２３ｂは、情報管理装置１０から画像の送信を要求された場合に、指定されたファイルＩＤに対応付けられる画像を画像データベース２２ａから取得する。データ読み出し部２３ｂが取得した画像は、画像処理装置２０から情報管理装置１０へ送られる。
【００３６】
解析エンジン３０は、画像処理装置２０から受信した画像を解析して、画像に含まれる識別コードのコード情報を読み取る。解析エンジン３０は、画像のファイルＩＤと、画像から読み取った識別コードのコード情報とを情報管理装置１０に送信する。
【００３７】
情報管理装置１０は、通信部１１と記憶部１２と制御部１３とを備えている。通信部１１は、情報管理装置１０と接続先の装置との接続処理を実行する。また、通信部１１は、接続先となる装置との間でデータの送信および受信を行う。
【００３８】
記憶部１２は、参加者情報データベース１２ａと被写体情報データベース１２ｂとを記憶している。参加者情報データベース１２ａには、上記認証キーに対応する会員ＩＤと、会員ＩＤに対応するユーザに割り当てられた識別コードのコード情報とが対応付けられて登録されている。会員ＩＤは、情報管理装置１０が会員に代わってウェブサイトサーバ５０へアクセスする際に用いられる認証情報である。会員ＩＤは、会員に代わって情報管理装置１０がウェブサイトサーバ５０へアクセスすることをその会員が承認することにより、情報管理装置１０に対して発行される。
【００３９】
被写体情報データベース１２ｂには、画像のファイルＩＤと、解析エンジン３０によって画像から読み取られた識別コードのコード情報とが対応付けられて登録されている。
制御部１３は、データ登録部１３ａとデータ管理部１３ｂとを備えている。データ登録部１３ａは、会員ＩＤの発行を受けて、会員ＩＤとコード情報とを対応付けて参加者情報データベース１２ａに登録する。また、データ登録部１３ａは、解析エンジン３０から受信したファイルＩＤとコード情報とを対応付けて被写体情報データベース１２ｂに登録する。
【００４０】
データ管理部１３ｂは、ウェブサイトサーバ５０へのアップロードの対象となる画像のファイルＩＤを被写体情報データベース１２ｂから抽出する。そして、データ管理部１３ｂは、抽出されたファイルＩＤに対応する画像を画像処理装置２０に要求する。画像処理装置２０から画像を受信すると、データ管理部１３ｂは、被写体情報データベース１２ｂにて、受信した画像のファイルＩＤと対応付けられているコード情報を特定する。そして、データ管理部１３ｂは、参加者情報データベース１２ａにて、特定したコード情報と対応付けられている会員ＩＤを特定する。データ管理部１３ｂが特定した会員ＩＤを用いて、情報管理装置１０は、画像処理装置２０から受信した画像をウェブサイトサーバ５０へアップロードする。
【００４１】
図２を参照して、撮影端末４０によって撮影される画像と画像に含まれる識別コードについて説明する。
図２は、撮影端末４０によって撮影された画像の一例を示す図である。画像Ｉａは、例えば、催事への参加者を撮影する企画で撮られた写真であって、画像Ｉａには、ユーザＵ１、ユーザＵ２、ユーザＵ３の３人のユーザが写っている。３人のユーザは、いずれも催事の参加者であって、互いに異なる識別コードを身に付けている。すなわち、ユーザＵ１は識別コードＣａを身に付けており、ユーザＵ２は、識別コードＣａとは異なる識別コードＣｂを身に付けており、ユーザＵ３は、識別コードＣａ，Ｃｂとは異なる識別コードＣｃを身に付けている。識別コードは、例えば、複数の色の配列によって情報を表現する識別子に具体化される。これらの識別コードは、ユーザが催事への参加に先立って行った事前登録のデータに従って、催事会場でユーザに配布される。
【００４２】
このように、画像Ｉａは、被写体であるユーザとともに、ユーザごとに割り当てられた識別コードを含んでいる。
図３を参照して、参加者情報データベース１２ａに登録されるデータのデータ構成と参加者情報データベース１２ａが構築される手順について説明する。
【００４３】
図３に示されるように、参加者情報データベース１２ａに登録される参加者情報データＤａは、会員ＩＤとコード情報とから構成される。例えば、「Ｕ３５６７」という会員ＩＤには、「コードＡ」というコード情報が対応付けられ、「Ｊ５１２３」という会員ＩＤには、「コードＧ」というコード情報が対応付けられている。このように、互いに異なる会員ＩＤには、互いに異なるコード情報が対応付けられている。すなわち、各会員ＩＤには、各会員ＩＤに固有のコード情報が割り当てられている。
【００４４】
参加者情報データベース１２ａは、ユーザによる事前登録の際に構築される。事前登録では、事前登録サイトを通じて、ユーザの氏名等の基本情報と会員制サイトの認証キーとがユーザ端末６０からウェブサイトサーバ５０に入力される。事前登録サイトは、会員制サイトと連動するアプリケーションソフトウェアが実行されるサイトである。事前登録の過程において、ユーザは、情報管理装置１０がユーザに代わってウェブサイトサーバ５０へ情報をアップロードすることに対しての承認を行う。ユーザの承認が得られると、ウェブサイトサーバ５０は、入力された認証キーと対応するユーザに代わって情報管理装置１０がウェブサイトサーバ５０へアクセスする際に用いられる認証情報として上記会員ＩＤを発行する。
【００４５】
情報管理装置１０のデータ登録部１３ａは、ウェブサイトサーバ５０から発行された会員ＩＤにコード情報を割り当て、会員ＩＤとコード情報とを対応付けて参加者情報データＤａとして参加者情報データベース１２ａに登録する。なお、参加者情報データベース１２ａには、会員ＩＤと対応付けられて、事前登録の際に入力されたユーザの氏名等の基本情報も登録される。これにより、参加者情報データベース１２ａが構築される。
【００４６】
催事会場では、参加者情報データベース１２ａにてユーザと対応する会員ＩＤに対応付けられているコード情報を有する識別コードが、ユーザに配布される。
図４を参照して、被写体情報データベース１２ｂに登録されるデータのデータ構成について説明する。
【００４７】
図４に示されるように、被写体情報データベース１２ｂに登録される被写体データＤｂは、ファイルＩＤとコード情報とから構成される。被写体データＤｂでは、ファイルＩＤと、ファイルＩＤに対応する画像が含む識別コードのコード情報とが対応付けられている。
【００４８】
例えば、「ファイルａ」というファイルＩＤには、「コードＡ」というコード情報と、「コードＸ」というコード情報とが対応付けられている。すなわち、「ファイルａ」というファイルＩＤを有する画像には、「コードＡ」というコード情報を有する識別コードと、「コードＸ」というコード情報を有する識別コードとが含まれている。また、「ファイルｃ」というファイルＩＤには、「コードＡ」というコード情報が対応付けられている。すなわち、「ファイルｃ」というファイルＩＤを有する画像には、「コードＡ」というコード情報を有する識別コードが含まれている。このように、１つの画像が複数の識別コードを含む場合には、同一のファイルＩＤに互いに異なる複数のコード情報が対応付けられる。また、同一の識別コードが複数の画像に含まれる場合には、同一のコード情報が互いに異なる複数のファイルＩＤに対応付けられる。
【００４９】
図５を参照して、被写体情報データベース１２ｂが構築される手順について説明する。
図５に示されるように、撮影端末４０によって、被写体であるユーザと、ユーザごとの識別コードとを含む画像が撮影される（ステップＳ１０）。撮影端末４０は、撮影した画像を画像処理装置２０へ送信する（ステップＳ１１）。
【００５０】
画像処理装置２０が画像を受信すると、画像処理装置２０のデータ登録部２３ａは、画像にファイルＩＤを割り当てて、画像を画像データベース２２ａに登録する（ステップＳ１２）。画像処理装置２０のデータ読み出し部２３ｂは、解析エンジン３０による解析処理が必要な画像を画像データベース２２ａから抽出し、データ読み出し部２３ｂが抽出した画像と画像のファイルＩＤとが画像処理装置２０から解析エンジン３０へ送信される（ステップＳ１３）。データ読み出し部２３ｂによる画像の抽出は、新たな画像が画像データベース２２ａに登録される度にその画像を抽出対象として行われてもよく、一定の期間ごとに、その期間中に画像データベース２２ａに登録された画像を抽出対象として行われてもよい。また、データ読み出し部２３ｂによる画像の抽出は、処理状況に応じた解析エンジン３０からの要求に応じて行われてもよい。
【００５１】
画像処理装置２０から画像とファイルＩＤとを受信すると、解析エンジン３０は、画像の解析を行って、画像に含まれる識別コードからコード情報を読み取る（ステップＳ１４）。解析エンジン３０は、識別コードから読み取ったコード情報と、識別コードが含まれている画像のファイルＩＤとを、情報管理装置１０に送信する（ステップＳ１５）。
【００５２】
解析エンジン３０からコード情報とファイルＩＤとを受信すると、情報管理装置１０のデータ登録部１３ａは、受信したファイルＩＤとコード情報とを対応付けて被写体情報データベース１２ｂに登録する（ステップＳ１６）。これにより、被写体情報データベース１２ｂが構築される。
【００５３】
図６を参照して、情報管理装置１０が画像をウェブサイトサーバ５０にアップロードする手順について説明する。
図６に示されるように、情報管理装置１０のデータ管理部１３ｂは、ウェブサイトサーバ５０にアップロードする対象となる画像のファイルＩＤを被写体情報データベース１２ｂから抽出する（ステップＳ２０）。データ管理部１３ｂによるファイルＩＤの抽出は、新たなファイルＩＤが被写体情報データベース１２ｂに登録される度にそのファイルＩＤを抽出対象として行われてもよく、一定の期間ごとに、その期間中に被写体情報データベース１２ｂに登録されたファイルＩＤを抽出対象として行われてもよい。
【００５４】
情報管理装置１０は、データ管理部１３ｂが抽出したファイルＩＤに対応する画像を画像処理装置２０に要求する（ステップＳ２１）。
情報管理装置１０からの要求を受けると、画像処理装置２０のデータ読み出し部２３ｂは、画像データベース２２ａにおいて、要求されたファイルＩＤに対応付けられる画像を特定する（ステップＳ２２）。画像処理装置２０は、データ読み出し部２３ｂが特定した画像を情報管理装置１０へ送信する（ステップＳ２３）。
【００５５】
画像処理装置２０から画像を受信すると、情報管理装置１０のデータ管理部１３ｂは、被写体情報データベース１２ｂにて、受信した画像のファイルＩＤと対応付けられているコード情報を特定する。そして、データ管理部１３ｂは、参加者情報データベース１２ａにて、特定したコード情報と対応付けられている会員ＩＤを特定する（ステップＳ２４）。これにより、ファイルＩＤに対応する画像に含まれている識別コードが割り当てられているユーザの会員ＩＤが特定される。なお、会員ＩＤの特定は、画像処理装置２０への画像の要求に先駆けて、データ管理部１３ｂが抽出したファイルＩＤに基づいて行われてもよい。
【００５６】
情報管理装置１０は、画像処理装置２０から受信した画像と、データ管理部１３ｂが特定した会員ＩＤとをウェブサイトサーバ５０へ送信する（ステップＳ２５）。ウェブサイトサーバ５０は、情報管理装置１０から受信した会員ＩＤの認証処理を行って、情報管理装置１０から受信した画像を、認証した会員ＩＤに対応するユーザのウェブページに掲載する（ステップＳ２６）。これにより、撮影端末４０によって撮影された画像が、ウェブサイトサーバ５０へアップロードされる。
【００５７】
ユーザがユーザ端末６０を用いて会員制サイトを閲覧することによって、撮影端末４０によって撮影された画像が、被写体であるユーザに提供される。
第１の実施形態の情報管理装置、情報管理システム、および、情報管理方法の作用について説明する。
【００５８】
情報管理装置１０では、参加者情報データベース１２ａにおいて会員ＩＤとコード情報が対応付けられ、被写体情報データベース１２ｂにおいてファイルＩＤとコード情報とが対応付けられている。すなわち、情報管理装置１０は、ファイルＩＤとコード情報と会員ＩＤとを対応付けて記憶している。したがって、画像と、画像に写っている被写体と、画像の提供に用いられる情報とが対応付けられているため、被写体ごとの画像の分別や分別した画像の配布にかかる手間を軽減することができる。その結果、画像の管理における利便性が高められる。また、ファイルＩＤとコード情報と会員ＩＤとが、情報管理装置１０によって一括に管理されるため、個人情報を適切に保護することができる。
【００５９】
また、ファイルＩＤとコード情報とを対応付けるにあたり、解析エンジン３０が画像に含まれる識別コードのコード情報を読み取る。したがって、画像の撮影時に、識別コードの記録や読み取りといった撮影とは別の作業が発生することを抑えることができる。その結果、効率的に撮影を行うことが可能となる。
【００６０】
また、情報管理装置１０のデータ管理部１３ｂは、入力されたファイルＩＤに対して、参加者情報データベース１２ａと被写体情報データベース１２ｂとを用いて会員ＩＤを特定し、特定した会員ＩＤを出力する。したがって、画像の識別情報から、被写体ごとの画像の提供に用いられる情報が適切に導き出される。そして、出力された会員ＩＤが用いられて、ウェブサイトサーバ５０に画像がアップロードされる。結果として、情報管理装置１０が管理する情報を利用することにより、煩雑な作業を要することなく、画像を被写体となったユーザに提供することができる。
【００６１】
また、識別コードとして、一次元もしくは二次元に配列された複数の色によって情報を表現する識別子が用いられる。こうした識別子は、画像に小さく含まれた状態であっても認識されやすいため、識別コードとして用いることに適している。また、識別コードが複数の色から構成されるため、識別コードのデザイン性が高められる。その結果、白と黒の二色で表現される識別コードと比較して、ユーザが識別コードを身に付けることによる心理的な不快感を低減できる。
【００６２】
以上説明したように、第１の実施形態によれば、以下の効果が得られる。
（１）情報管理装置１０にて、画像の識別情報であるファイルＩＤと、被写体の識別情報であるコード情報と、画像の提供に用いられる情報である会員ＩＤとが対応付けられて管理されるため、画像の管理における利便性が高められる。
【００６３】
（２）ファイルＩＤとコード情報と会員ＩＤとが、情報管理装置１０によって一括に管理されるため、個人情報を適切に保護することができる。
（３）解析エンジン３０が画像に含まれる識別コードのコード情報を読み取り、読み取られた識別コードがファイルＩＤと対応付けられて記憶される。したがって、画像の撮影時に、撮影とは別の作業が発生することを抑えることができるため、効率的に撮影を行うことが可能となる。
【００６４】
（４）情報管理装置１０のデータ管理部１３ｂは、入力されたファイルＩＤに対して、参加者情報データベース１２ａと被写体情報データベース１２ｂとを用いて特定した会員ＩＤを出力する。したがって、画像の識別情報から、被写体ごとの画像の提供に用いられる情報が適切に導き出される。
【００６５】
（５）情報管理装置１０は、データ管理部１３ｂがファイルＩＤに対して出力した会員ＩＤと、画像処理装置２０から取得したファイルＩＤに対応する画像とを出力する。したがって、画像の識別情報に基づいて、画像の識別情報に対応する画像と被写体ごとの画像の提供に用いられる情報とが出力されるため、画像の管理における利便性が高められる。
【００６６】
（６）情報管理装置１０は、ファイルＩＤに対して出力された会員ＩＤを用いて、ウェブサイトサーバ５０に画像をアップロードする。したがって、煩雑な作業を要することなく、画像を被写体となったユーザに提供することができる。
【００６７】
（７）識別コードとして、一次元もしくは二次元に配列された複数の色によって情報を表現する識別子が用いられる。これにより、解析エンジン３０によるコード情報の読み取りの精度が高められる。また、白と黒の二色で表現される識別コードと比較して、ユーザが識別コードを身に付けることによる心理的な不快感を低減できる。
【００６８】
なお、第１の実施形態は、以下のように変更して実施することが可能である。
・情報管理装置１０におけるアップロード対象となる画像のファイルＩＤの抽出に先駆けて、画像処理装置２０にて画像データベース２２ａに登録された画像のアップロードの適否が判定されてもよい。例えば、企画の運営者等によって画像データベース２２ａに登録された画像の中からアップロードに適した画像が選択され、選択された画像のファイルＩＤが、アップロード対象となる画像のファイルＩＤとして情報管理装置１０に通知されてもよい。
【００６９】
・アップロード対象となる画像のファイルＩＤの抽出が、画像処理装置２０にて行われてもよい。この場合、先の図６におけるステップＳ２０、ステップＳ２１に代えて、画像処理装置２０にて、アップロード対象となる画像のファイルＩＤが抽出される。そして、抽出されたアップロード対象となる画像のファイルＩＤと、ファイルＩＤに対応する画像とが、画像処理装置２０から情報管理装置１０へ送信される。
【００７０】
・情報管理装置１０から画像処理装置２０に、アップロード対象となる画像のファイルＩＤとファイルＩＤに基づいて特定された会員ＩＤとが送信され、画像処理装置２０が、ファイルＩＤに対応する画像と、会員ＩＤとをウェブサイトサーバ５０に送信してもよい。要は、情報管理装置１０と画像処理装置２０と解析エンジン３０とを含む情報管理システムから、ウェブサイトサーバ５０に画像と会員ＩＤとが送信されて、画像がウェブサイトサーバ５０にアップロードされればよい。
【００７１】
・第１の実施形態では、被写体情報データベース１２ｂにファイルＩＤとコード情報とが登録される前に、参加者情報データベース１２ａに会員ＩＤとコード情報が登録された。これらのデータベースの構築の順番は任意であり、情報管理装置１０が画像をウェブサイトサーバ５０にアップロードする前に、２つのデータベースが構築されていればよい。例えば、催事会場にて、任意のコード情報を有する識別コードがユーザに配布され、撮影端末４０による撮影が行われた後に、所定の端末を用いて、ユーザが所持している識別コードのコード情報の読み取りと、ユーザによる会員制サイトの認証キーの入力とが行われる。そして、読み取られたコード情報と、入力された認証キーに対応する会員ＩＤとが対応付けられて、参加者情報データベース１２ａに登録される。
【００７２】
・事前登録サイトが会員制サイトと連動しないサイトであってもよい。こうした場合には、認証キーそのものを会員ＩＤとして用いてもよい。
（第２の実施形態）
図７〜図９を参照して、情報管理装置、情報管理システム、および、情報管理方法の第２の実施形態について説明する。なお、第２の実施形態の情報管理システムでは、催事にて撮影されたユーザの写真が、ユーザ端末からの要求に応じて、ユーザに提供される。
【００７３】
図７を参照して、情報管理システムの構成、および、情報管理システムに含まれる情報管理装置の構成について説明する。なお、第２の実施形態では、情報管理装置の構成が第１の実施形態と異なる。そのため、以下では、第１の実施形態との相違点を中心に説明する。  
【００７４】
図７に示されるように、情報管理装置１０の記憶部１２は、第１の実施形態の参加者情報データベース１２ａに代えて、照会情報データベース１２ｃを記憶している。照会情報データベース１２ｃには、識別コードのコード情報と、ユーザが写真の提供を受ける際に用いられる識別情報である照会ＩＤとが対応付けられて登録されている。
【００７５】
被写体情報データベース１２ｂには、第１の実施形態と同様に、画像のファイルＩＤと、解析エンジン３０によって画像から読み取られた識別コードのコード情報とが対応付けられて登録されている。
【００７６】
制御部１３が備えるデータ登録部１３ａは、解析エンジン３０から受信したファイルＩＤとコード情報とを対応付けて被写体情報データベース１２ｂに登録する。
制御部１３が備えるデータ管理部１３ｂは、ユーザ端末６０から照会ＩＤが入力された場合に、照会情報データベース１２ｃにて、入力された照会ＩＤと対応付けられているコード情報を特定する。そして、データ管理部１３ｂは、被写体情報データベース１２ｂにて、特定したコード情報と対応付けられているファイルＩＤを特定する。さらに、データ管理部１３ｂは、特定したファイルＩＤに対応する画像を画像処理装置２０に要求する。画像処理装置２０から画像を受信すると、情報管理装置１０は、受信した画像をユーザ端末６０に送信する。
【００７７】
なお、第２の実施形態では、ネットワークＮＷに接続された装置からウェブサイトサーバ５０が割愛されている。
図８を参照して、照会情報データベース１２ｃに登録されるデータのデータ構成について説明する。
【００７８】
図８に示されるように、照会情報データベース１２ｃに登録される照会情報データＤｃは、コード情報と照会ＩＤとから構成される。例えば、「コードＡ」というコード情報には、「００３４７」という照会ＩＤが対応付けられ、「コードＧ」というコード情報には、「５５８９２」という照会ＩＤが対応付けられている。このように、互いに異なるコード情報には、互いに異なる照会ＩＤが対応付けられている。すなわち、各コード情報には、各コード情報に固有の照会ＩＤが割り当てられている。
【００７９】
第２の実施形態では、ユーザによる事前登録は行われない。催事会場を訪れたユーザには、任意のコード情報を有する識別コードが配布される。そして、ユーザには、照会情報データベース１２ｃにて、ユーザに配布された識別コードが有するコード情報と対応付けられている照会ＩＤが通知される。例えば、照会ＩＤは、照会ＩＤと対応付けられている識別コードが印刷された用紙に印字される。
【００８０】
なお、被写体情報データベース１２ｂは、第１の実施形態と同様に、先の図４に示される構成を有し、先の図５に示される手順で構築される。
図９を参照して、情報管理装置１０がユーザ端末６０に画像を提供する手順について説明する。
【００８１】
図９に示されるように、ユーザの操作に基づいて、ユーザ端末６０が情報管理装置１０にアクセスし、ユーザ端末６０から情報管理装置１０に照会ＩＤが入力される（ステップＳ３０）。入力される照会ＩＤは、ユーザが催事会場にて識別コードとともに受け取った照会ＩＤである。
【００８２】
照会ＩＤが入力されると、情報管理装置１０のデータ管理部１３ｂは、照会情報データベース１２ｃにて、入力された照会ＩＤと対応付けられているコード情報を特定する。そして、データ管理部１３ｂは、被写体情報データベース１２ｂにて、特定したコード情報と対応付けられているファイルＩＤを特定する（ステップＳ３１）。情報管理装置１０は、データ管理部１３ｂが抽出したファイルＩＤに対応する画像を画像処理装置２０に要求する（ステップＳ３２）。
【００８３】
情報管理装置１０からの要求を受けると、画像処理装置２０のデータ読み出し部２３ｂは、画像データベース２２ａにおいて、要求されたファイルＩＤに対応付けられる画像を特定する（ステップＳ３３）。画像処理装置２０は、データ読み出し部２３ｂが特定した画像を情報管理装置１０へ送信する（ステップＳ３４）。
【００８４】
画像処理装置２０から画像を受信すると、情報管理装置１０は、受信した画像をユーザ端末６０に送信する（ステップＳ３５）。画像は、例えば、画像が配列されたウェブページの表示データとして、ユーザ端末６０に送信される。情報管理装置１０からデータを受信すると、ユーザ端末６０に画像が表示される（ステップＳ３６）。これにより、撮影端末４０によって撮影された画像が、被写体であるユーザに提供される。
【００８５】
第２の実施形態の情報管理装置、情報管理システム、および、情報管理方法の作用について説明する。
情報管理装置１０では、照会情報データベース１２ｃにおいて照会ＩＤとコード情報が対応付けられ、被写体情報データベース１２ｂにおいてファイルＩＤとコード情報とが対応付けられている。すなわち、情報管理装置１０は、ファイルＩＤとコード情報と照会ＩＤとを対応付けて記憶している。したがって、画像と、画像に写っている被写体と、画像の提供に用いられる情報とが対応付けられているため、画像の管理における利便性が高められる。
【００８６】
また、情報管理装置１０のデータ管理部１３ｂは、入力された照会ＩＤに対して、照会情報データベース１２ｃと被写体情報データベース１２ｂとを用いてファイルＩＤを特定し、特定したファイルＩＤを出力する。したがって、画像の提供に用いられる情報から、特定の被写体を含む画像の識別情報が適切に導き出される。結果として、情報管理装置１０が管理する情報を利用することにより、煩雑な作業を要することなく、画像を被写体となったユーザに提供することができる。
【００８７】
以上説明したように、第２の実施形態によれば、第１の実施形態の（３），（７）の効果に加えて、以下の効果が得られる。
（８）情報管理装置１０にて、画像の識別情報であるファイルＩＤと、被写体の識別情報であるコード情報と、画像の提供に用いられる情報である照会ＩＤとが対応付けられて管理されるため、画像の管理における利便性が高められる。
【００８８】
（９）ファイルＩＤとコード情報と照会ＩＤとが、情報管理装置１０によって一括に管理されるため、個人情報を適切に保護することができる。
（１０）情報管理装置１０のデータ管理部１３ｂは、入力された照会ＩＤに対して、照会情報データベース１２ｃと被写体情報データベース１２ｂとを用いて特定したファイルＩＤを出力する。したがって、画像の提供に用いられる情報から、特定の被写体を含む画像の識別情報が適切に導き出される。
【００８９】
（１１）情報管理装置１０は、データ管理部１３ｂが照会ＩＤに対して出力したファイルＩＤに対応する画像を、画像処理装置２０から取得して出力する。したがって、画像の提供に用いられる情報に基づいて、特定の被写体を含む画像が出力されるため、画像の管理における利便性が高められる。
【００９０】
なお、第２の実施形態は、以下のように変更して実施することが可能である。
・情報管理装置１０から画像処理装置２０に通知されたファイルＩＤに基づいて、画像処理装置２０が、ファイルＩＤに対応する画像をユーザ端末６０に送信してもよい。要は、情報管理装置１０と画像処理装置２０と解析エンジン３０とを含む情報管理システムから、ユーザ端末６０の要求に応じて、ユーザ端末６０に画像が送信されればよい。
【００９１】
・第２の実施形態では、被写体情報データベース１２ｂにファイルＩＤとコード情報とが登録される前に、照会情報データベース１２ｃに照会ＩＤとコード情報が登録された。これらのデータベースの構築の順番は任意であり、情報管理装置１０が画像をユーザ端末６０に送信する前に、２つのデータベースが構築されていればよい。例えば、催事会場にて、任意のコード情報を有する識別コードがユーザに配布され、撮影端末４０による撮影が行われた後に、所定の端末を用いて、ユーザが所持している識別コードのコード情報の読み取りと、ユーザによる照会ＩＤとしての任意のＩＤの設定とが行われる。そして、読み取られたコード情報と、入力された照会ＩＤとが対応付けられて、照会情報データベース１２ｃに登録される。
【００９２】
・照会ＩＤを、識別用のＩＤとパスワード等とからなる認証情報とし、ユーザ端末６０が情報管理装置１０にアクセスした場合に、ユーザの認証を行ってから画像をユーザ端末６０に送信してもよい。
【００９３】
（変形例）
上記の各実施形態は、以下のように変更して実施することが可能である。なお、上記の各実施形態の情報管理装置１０においては、データ管理部１３ｂが特定部の一例を構成する。また、上記の各実施形態の情報管理システムにおいては、情報管理装置１０が記憶部と特定部の一例を、画像処理装置２０が格納部の一例を、解析エンジン３０が取得部の一例を構成する。特定部によって特定された被写体の識別情報は、画像の提供に際して、画像の識別情報の特定に利用されてもよいし、画像の提供に用いられる情報の特定に利用されてもよいし、画像のデータそのものの特定に利用されてもよい。
【００９４】
・情報管理装置１０と画像処理装置２０と解析エンジン３０とのうちのいずれか２つの機能が、１つの装置が備える機能として実現されてもよい。また、情報管理装置１０と画像処理装置２０と解析エンジン３０との機能のすべてが１つの装置が備える機能として実現されてもよい。情報管理装置１０と画像処理装置２０と解析エンジン３０との機能が別々の装置に備えられる構成であれば、装置ごとにデータが管理されるため、外部からのアクセスに対するセキュリティが高められる。
【００９５】
・ファイルＩＤとコード情報と会員ＩＤもしくは照会ＩＤとが、１つのテーブルによって管理されてもよい。
・第１の実施形態と第２の実施形態とが組み合わされてもよい。すなわち、記憶部１２が、参加者情報データベース１２ａと、被写体情報データベース１２ｂと、照会情報データベース１２ｃとを有していてもよい。
【００９６】
・画像の提供に用いられる情報は、会員ＩＤや照会ＩＤに限らず、メールアドレス等であってもよい。要は、画像を情報管理システムの外部へ提供する際に、画像の提供を求める先の識別に用いる情報であればよい。
【００９７】
・画像の識別情報として、ファイルＩＤに代えて、画像ファイルのヘッダに含まれるファイルＩＤ以外の他のデータが用いられてもよい。
・識別コードとしては、バーコードや二次元コード等の識別子が用いられてもよい。
【００９８】
・識別コードを用いずに、ユーザの顔を被写体の識別情報として用いてもよい。この場合、情報管理装置１０は、ユーザの顔情報を会員ＩＤもしくは照会ＩＤと対応付けて記憶する。そして、解析エンジン３０は、画像に含まれるユーザの顔を認識して、画像のファイルＩＤと認識したユーザの顔情報とを情報管理装置１０に送信し、情報管理装置１０は、受信した画像のファイルＩＤとユーザの顔情報とを対応付けて記憶する。
【００９９】
・画像に含まれる被写体は人物に限られない。例えば、画像に含まれる被写体は物品であってもよい。この際に、物品に識別コードが付されて撮影が行われ、被写体である物品ごとの画像が会員制サイトの所定のウェブページに掲載されるように、画像の提供に用いられる情報が設定されてもよい。
【０１００】
・画像は、写真等の静止画に限らず、動画であってもよい。
【符号の説明】
【０１０１】
１０…情報管理装置、１１…通信部、１２…記憶部、１２ａ…参加者情報データベース、１２ｂ…被写体情報データベース、１２ｃ…照会情報データベース、１３…制御部、１３ａ…データ登録部、１３ｂ…データ管理部、２０…画像処理装置、２１…通信部、２２…記憶部、２２ａ…画像データベース、２３…制御部、２３ａ…データ登録部、２３ｂ…データ読み出し部、３０…解析エンジン、４０…撮影端末、５０…ウェブサイトサーバ、６０…ユーザ端末。
【図１】
2014235629.tif 000003
【図２】
2014235629.tif 000004
【図３】
2014235629.tif 000005
【図４】
2014235629.tif 000006
【図５】
2014235629.tif 000007
【図６】
2014235629.tif 000008
【図７】
2014235629.tif 000009
【図８】
2014235629.tif 000010
【図９】
2014235629.tif 000011